(57)【特許請求の範囲】
【請求項１】
遊技機島の長手方向に沿って紙幣を搬送する遊技機島搬送路から送り出された紙幣を一時保留部で一旦受け入れた後、該一時保留部から送り出して収納部に収納する紙幣収納装置において、
前記遊技機島搬送路から受け入れる紙幣のうちの受け入れ方向と平行な縁部の紙面と接触する程度に前記一時保留部の内側へ突出したガイド部材を前記受け入れ方向に沿って設け、該ガイド部材を境にして一時保留部を受入室と一時収納室とに分け、
回転体と、前記回転体を回転させる駆動部と、前記回転体の周面から伸びる押圧羽根とを備えて常時駆動され、前記受入室に受け入れた紙幣を、前記受入室から前記一時収納室に向けて前記押圧羽根で押圧する押圧手段を備え、
前記ガイド部材は前記一時保留部の途中で終端しており、
前記遊技機島搬送路から前記ガイド部材に沿って前記受入室に受け入れた紙幣を、該紙幣が前記受入室の奥まで進んだとき、前記ガイド部材と紙幣の縁部との接触による抗力に前記押圧手段による押圧力が勝ることで前記一時収納室に移して収納し、
前記一時収納室から紙幣を前記収納部に向けて送り出す
ことを特徴とする紙幣収納装置。
【請求項２】
紙幣の長辺を受け入れ方向にして、前記一時保留部の一端から紙幣を受け入れ、他端から送り出すと共に、
前記押圧手段を前記一時保留部内の前記ガイド部材の終端より前記一端側と他端側に設けた
ことを特徴とする請求項１に記載の紙幣収納装置。
【請求項３】
紙幣を横長に立てた状態で受け入れると共に、
前記ガイド部材を、前記一時保留部の上部から垂下するように設け、
前記受入室への紙幣の入口をその下端が前記一時収納室の底面より高くなるように段差を設けて配置し、
紙幣が前記受入室から前記一時収納室へ移動する際に前記段差を落下するようにして前記紙幣の姿勢を整える
ことを特徴とする請求項１または２に記載の紙幣収納装置。
【請求項４】
紙幣が受入室の奥に進むと、前記紙幣とガイド部材との接触面積が減少するようにした
ことを特徴とする請求項１乃至３のいずれか１つに記載の紙幣収納装置。
【発明の詳細な説明】
【技術分野】
【０００１】
本発明は、パチンコ機などが並設された遊技機島に設けられ、遊技客によって遊技媒体貸機などに投入された後に遊技機島の長手方向に沿って搬送されてきた紙幣を受け入れて収容する紙幣収納装置に関する。
【背景技術】
【０００２】
パチンコ機などの遊技機が並設された遊技機島では、一般に、各遊技機の近くに遊技媒体貸機が設置されており、遊技媒体貸機に投入された紙幣は、遊技機島の長手方向に沿って島内に設置された遊技機島搬送路を通じて遊技機島端の紙幣収納装置へ搬送されて収納される。
【０００３】
紙幣収納装置には、紙幣を一時保留部で一旦受け入れ、この一時保留部から１枚ごとに分離して送り出した紙幣を識別手段に通過させて金種を識別した後、収納部に収納するように成されたものがある（たとえば、特許文献１参照。）。
【０００４】
【特許文献１】特開２００２−１９７５１１号公報
【発明の開示】
【発明が解決しようとする課題】
【０００５】
紙幣は使用される間に小さな切れ目が生じることがある。一時保留部に既に収納されている紙幣の上縁などにこのような切れ目があると、遊技機島搬送路から一時保留部に新たに受け入れた紙幣が既に収納されている紙幣の切れ目に引っ掛かって紙幣詰まりを起こす場合があった。
【０００６】
本発明は、上記の問題を解決しようとするものであり、一時保留部に既に収納されている紙幣の縁部に切れ目がある場合でも、これに引っ掛かることなく遊技機島搬送路から新たな紙幣を一時保留部に受け入れることのできる紙幣収納装置を提供することを目的とするものである。
【課題を解決するための手段】
【０００７】
かかる目的を達成するための本発明の要旨とするところは、次の各項の発明に存する。
【０００８】
［１］遊技機島の長手方向に沿って紙幣を搬送する遊技機島搬送路（５）から送り出された紙幣を一時保留部（３０）で一旦受け入れた後、該一時保留部（３０）から送り出して収納部（１５、１７）に収納する紙幣収納装置において、
前記遊技機島搬送路（５）から受け入れる紙幣のうちの受け入れ方向と平行な縁部の紙面と接触する程度に前記一時保留部（３０）の内側へ突出したガイド部材（３３）を前記受け入れ方向に沿って設け、該ガイド部材（３３）を境にして一時保留部（３０）を受入室（３０ａ）と一時収納室（３０ｂ）とに分け、
回転体（３６）と、前記回転体（３６）を回転させる駆動部（２５）と、前記回転体（３６）の周面から伸びる押圧羽根（３６ａ）とを備えて常時駆動され、前記受入室（３０ａ）に受け入れた紙幣を前記押圧羽根（３６ａ）で押圧する押圧手段（３６，３６ａ）を備え、
前記ガイド部材（３３）は前記一時保留部（３０）の途中で終端しており、
前記遊技機島搬送路（５）から前記ガイド部材（３３）に沿って前記受入室（３０ａ）に受け入れた紙幣を、該紙幣が前記受入室（３０ａ）の奥まで進んだとき、前記ガイド部材（３３）と紙幣の縁部との接触による抗力に前記押圧手段（３６，３６ａ）による押圧力が勝ることで前記一時収納室（３０ｂ）に移して収納し、
前記一時収納室（３０ｂ）から紙幣を前記収納部（１５、１７）に向けて送り出す
ことを特徴とする紙幣収納装置。
【０００９】
上記発明では、ガイド部材（３３）を境にして一時保留部（３０）を受入室（３０ａ）と一時収納室（３０ｂ）とに分けておき、ガイド部材（３３）に沿って受入室（３０ａ）に受け入れた紙幣を押圧手段（３６，３６ａ）で押圧して一時収納室（３０ｂ）へ移して収納する。これにより、一時収納室（３０ｂ）に既に収納済みの紙幣の縁部に切れ目がある場合でも、この紙幣の切れ目に後から受入室（３０ａ）に受け入れられた紙幣が引っ掛かって詰まることが防止される。また上記発明では、ガイド部材（３３）の終端位置より奥では受入室（３０ａ）と一時収納室（３０ｂ）の境がなくなり、受入室（３０ａ）の奥方では紙幣をスムースに一時収納室（３０ｂ）に移して収納することができる。
【００１１】
上記発明では、押圧羽根（３６ａ）を有する回転体（３６）を回転させる押圧手段（３６，３６ａ）を常時駆動するので、ガイド部材（３３）に沿って受入室（３０ａ）で受け入れられた紙幣を、簡単な構造で受入室（３０ａ）から一時収納室（３０ｂ）に向けて押圧することが可能になる。
【００１２】
［２］紙幣の長辺を受け入れ方向にして、前記一時保留部（３０）の一端（３１）から紙幣を受け入れ、他端（３２）から送り出すと共に、
前記押圧手段（３６、３６ａ）を前記一時保留部（３０）内の前記ガイド部材（３３）の終端より前記一端側と他端側に設けた
ことを特徴とする［１］に記載の紙幣収納装置。
【００１３】
上記発明では、回転体（３６）を前記ガイド部材（３３）の終端より紙幣の受入側に配置したことにより、折れ曲がって受け入れられた紙幣であっても押圧羽根（３６ａ）で伸張することができ、折れ曲がった紙幣に後から一時保留部（３０）に受け入れられた紙幣が衝突して詰まるのを防ぐことができる。また、回転体（３６）を前記ガイド部材（３３）の終端より紙幣の送り出し側に配置したことにより、一時収納室（３０ｂ）に収納されている紙幣を  常に一時収納室（３０ｂ）に向けて押圧羽根（３６ａ）で押圧することができるので、一時収納室（３０ｂ）から受入室（３０ａ）へ紙幣が浮き出てくるのを防ぐと共に、送出口（３２）から確実に紙幣を排出することができる。
【００１４】
［３］紙幣を横長に立てた状態で受け入れると共に、
前記ガイド部材（３３）を、前記一時保留部（３０）の上部から垂下するように設け、
前記受入室（３０ａ）への紙幣の入口をその下端が前記一時収納室（３０ｂ）の底面より高くなるように段差を設けて配置し、
紙幣が前記受入室（３０ａ）から前記一時収納室（３０ｂ）へ移動する際に前記段差を落下するようにして前記紙幣の姿勢を整える
ことを特徴とする［１］または［２］に記載の紙幣収納装置。
【００１５】
上記発明では、受入室（３０ａ）の紙幣受入口から受け入れられた紙幣は、一時収納室（３０ｂ）へ移動する際に自重で落下して一時保留部（３０）の底面に当接することにより姿勢が整えられるので、最終的に収納部（１５、１７）に収納されるまでに詰まるおそれが軽減される。また、一時収納室（３０ｂ）内に既に収納済みの紙幣の下縁部に切れ目がある場合に、この紙幣の下縁部と、紙幣受入口から受け入れられた後続の紙幣との間に高低差があるので、収納済み紙幣の下端部の切れ目に後続紙幣が接触せず、切れ目に後続の紙幣が引っ掛かって詰まるのを防ぐことができる。
【００１８】
［４］紙幣が受入室（３０ａ）の奥に進むと、前記紙幣とガイド部材（３３）との接触面積が減少するようにした
ことを特徴とする［１］乃至［３］のいずれか１つに記載の紙幣収納装置。
【００１９】
上記発明では、紙幣が受入室（３０ａ）の奥に進むと紙幣とガイド部材（３３）との接触面積が減少するので、紙幣がガイド部材（３３）を越え易くなり、受入室（３０ａ）から一時収納室（３０ｂ）への紙幣の移動を円滑に行うことができる。
【発明の効果】
【００２０】
本発明に係る紙幣収納装置によれば、一時保留部に既に収納されている紙幣の縁部に切れ目がある場合でも、これに引っ掛かることなく遊技機島搬送路から新たな紙幣を一時保留部に受け入れることができる。
【発明を実施するための最良の形態】
【００２１】
以下、図面に基づき本発明の実施の形態を説明する。
【００２２】
図１は、本発明の実施の形態に係る紙幣収納装置１０の設置された遊技機島２の内部構造を示す正面図であり、図２は、遊技機島２に設置された紙幣収納装置１０およびその関連機器の配置状態を示す上面図である。遊技機島２は、遊技店のフロア上に構築したフレームにパチンコ機などの遊技機３と遊技媒体貸機４とを一組にしたものを多数背中合わせにして表裏面に並設収容している。
【００２３】
遊技媒体貸機４は、遊技機３で使用されるパチンコ球などの遊技媒体を、正面上部の紙幣投入口４ａから投入される紙幣の金額に応じて遊技者に貸し出す装置である。背中合わせにして設置された遊技媒体貸機４の背面間には、各遊技媒体貸機４の背面から排出された紙幣を遊技機島２の端部の紙幣収納装置１０まで搬送する遊技機島搬送路５が、表裏面の各々に対応させて２経路背中合わせにして遊技機島２の長手方向に沿って延設されている。紙幣はその短辺が略垂直となる姿勢で表裏の各遊技機島搬送路５内を紙幣収納装置１０に向けて搬送され、直前で合流されて紙幣収納装置１０内へ送り出される。
【００２４】
図３は紙幣収納装置１０の内部構造を示す上面図、図４は紙幣収納装置１０の内部構造を示す正面図、図５は紙幣収納装置１０の内部構造を示す左側面図である。図６は、紙幣収納装置１０の内部経路を簡略化して示したものである。
【００２５】
紙幣収納装置１０は、遊技機島搬送路５から送り出された紙幣を収納する装置であり、遊技機島搬送路５からの紙幣を一旦受け入れて保留する一時保留部３０と、一時保留部３０から１枚ごとに分離して紙幣を送り出す送出手段１２と、送出手段１２から送り出された紙幣を搬送する共通搬送路１３と、共通搬送路１３の途中に配置され、通過する紙幣の金種を識別する識別手段１４と、金種の識別に成功した紙幣を収納する収納部１５と、識別手段１４で金種の識別できなかった紙幣を、所定のリトライ条件が成立する場合は一時保留部３０へ戻すように搬送するリトライ搬送路１６と、金種の識別ができなかった紙幣をリトライ条件が不成立の場合は受け入れて収納するリジェクト部１７とを備えている。
【００２６】
識別手段１４の下流の共通搬送路１３には、紙幣の進路を選択する切替爪としてのリトライゲート１８ａが設けてある。金種の識別に成功した紙幣は、リトライゲート１８ａによって選択される収納搬送路１５ａを通じて収納部１５へ搬送される。金種の識別できなかった紙幣はさらに共通搬送路１３を進み、切替爪であるリジェクトゲート１８ｂにより、リジェクト部１７へ紙幣を搬送するリジェクト搬送路１７ａとリトライ搬送路１６のいずれかに進路が選択される。
【００２７】
一時保留部３０の一端部には、遊技機島搬送路５から送り出される紙幣の受け入れ口である第１受入口３１が設けてあり、他端部には共通搬送路１３への紙幣の出口となる送出口３２が設けてある。第１受入口３１と送出口３２との間の長さは紙幣の長辺の長さ以上に、高さは紙幣の短辺の長さ以上にしてあり、全体として一時保留部３０は紙幣を収納可能な細長の箱状をなしている。
【００２８】
図７は、一時保留部３０の上面を拡大図示している。一時保留部３０には、遊技機島搬送路５から受け入れる紙幣のうちの受け入れ方向（遊技機島搬送方向）Ｆと平行な縁部の紙面と接触する程度に一時保留部３０の内側へ突出したガイド部材３３が紙幣の受け入れ方向Ｆに沿って設けてあり、該ガイド部材３３を境にして一時保留部３０は受入室３０ａと一時収納室３０ｂとに分けられている。第１受入口３１は受入室３０ａの一端にあり、送出口３２は一時収納室３０ｂの他端に設けてある。
【００２９】
一時保留部３０の受入室３０ａ側の側壁を成している押圧ユニット３４は、図８に示すように第１受入口３１寄りに設けられた開閉軸３４ａを中心にして開閉可能になっている。
【００３０】
図９は押圧ユニット３４を開放した状態の一時保留部３０を押圧ユニット３４側から見た様子を示しており、図１０は送出口３２側から一時保留部３０の内部を見た様子を模擬的に示している。図９に示すように、ガイド部材３３は、遊技機島搬送路５から受け入れる紙幣Ｎ２の上縁部の紙面と接触する程度に一時保留部３０の上部から垂下（天井から下方に突出）するように設けてある。また、ガイド部材３３の終端は一時収納室３０ｂに収納された紙幣Ｎ１の受け入れ方向の先端より手前にある。本実施の形態では、第１受入口３１側から送出口３２までの約半分のところまで延設されて終端している。
【００３１】
第１受入口３１は、その入口下端の高さが一時収納室３０ｂの底面より所定長ｈだけ高くなるように配置されている。受入室３０ａの底部には、この高さの差に相当する厚みの板状の突設部材３５が設けてあり、突設部材３５の存在箇所では受入室３０ａの底面３０ｆａが一時収納室３０ｂの底面３０ｆｂより突設部材３５の厚み分だけ高くなるようにされている。突設部材３５の終端は、第１受入口３１の近傍から送出口３２に向けて、ガイド部材３３の終端よりやや第１受入口３１側にある（図９参照）。また、一時保留部３０の天井面３９（少なくとも受入室３０ａの天井面）は、ガイド部材３３の終端より送出口３２側に向けて若干の下り傾斜を成している。
【００３２】
押圧ユニット３４には、図６、図７、図８などに示すように、紙幣の押圧手段として、周面から接線方向に軸を挟んで互いに逆方向に伸びる２枚の押圧羽根３６ａを備えた回転体３６が第１受入口３１側と送出口３２側の２箇所に設けてある。詳細にはガイド部材３３が存在する領域の中ほどと、ガイド部材３３の終端より送出口３２側の領域の中ほどにそれぞれに回転体３６を設けてある。後述するモータ２５（駆動部）からのベルト駆動で回転体３６を矢印Ａ方向に回転させることによって押圧羽根３６ａで紙幣を受入室３０ａ側から一時収納室３０ｂ側へ押圧するようになっている。押圧羽根３６ａは弾性を有する樹脂フィルムなどで構成される。
【００３３】
図７に示すように、一時保留部３０の一時収納室３０ｂ側の側壁部Ｋのうち、第１受入口３１寄りの位置には、リトライ搬送路１６から送り出された紙幣の受け入れ口となる第２受入口３７が設けられている。
【００３４】
図３などに示すように、第１受入口３１には円筒状をなす一対の受入ローラ２１が対向配置されている。受入ローラ２１には、上部伝達ギア２３および上部モータギア２４を介してモータ２５の回転が伝達される。モータ２５が図３の矢印Ｂの方向に回転することで、受入ローラ２１は紙幣を第１受入口３１から一時保留部３０の内部へ送り込む方向に回転する。
【００３５】
送出口３２に設けられた送出手段１２は、一時保留部３０の一時収納室３０ｂから紙幣を共通搬送路１３へ送り出す方向（図７の矢印Ｃ）に回転する順転ローラ１２ａと、該順転ローラ１２ａの逆方向（図７の矢印Ｄ）に回転しかつ順転ローラ１２ａに比べて表面の摩擦力が小さい逆転ローラ１２ｂとを、逆転ローラ１２ｂが受入室３０ａ側で順転ローラ１２ａが一時収納室３０ｂ側となるように対向配置して構成される。
【００３６】
順転ローラ１２ａは、円筒状に形成され、その周面にゴムなどの弾性部材でギヤ状の歯が設けられており、紙幣に対する接触面積と摩擦力とが大きくなるように形成されている。一方、逆転ローラ１２ｂは、順転ローラ１２ａのギア状の歯を両側から挟むように配置される上下２つの円盤状に形成されており、周面に歯はなく、紙幣に対する接触面積と摩擦力は順転ローラ１２ａに比べて小さくなっている。
【００３７】
送出口３２に到達した紙幣が１枚の場合、逆転ローラ１２ｂの摩擦力が順転ローラ１２ａの摩擦力に比べて小さいので、この紙幣は順転ローラ１２ａとの接触により送出口３２から送り出される。一方、送出口３２に到達した紙幣が複数枚重なっている場合は、順転ローラ１２ａに接触している紙幣は送出口３２から送り出され、逆転ローラ１２ｂに接触している紙幣は一時保留部３０の一時収納室３０ｂ内に戻される。このように、紙幣が複数枚重なっている場合でも、送出手段１２は紙幣を１枚ずつ送出口３２から送り出すようになっている。
【００３８】
第２受入口３７が設けられている一時収納室３０ｂの側部Ｋには、第２受入口３７の近傍から送出口３２にかけて紙幣を搬送する送込ベルト３８が設けてある。
【００３９】
図４などに示すように、共通搬送路１３の搬送ローラ１３ａには、同軸下部に設けられた第１電磁クラッチ２６および第１タイミングベルト２７を介して上部伝達ギア２３の回転力が同軸の下部シャフト２３ａから伝達され、この搬送ローラ１３ａから共通搬送路１３やリトライ搬送路１６の各部に駆動力が伝達される。また、順転ローラ１２ａには同軸下部に設けられた第２電磁クラッチ２８および第２タイミングベルト２９を介して上部伝達ギア２３の回転力が同軸の下部シャフト２３ａから伝達される。
【００４０】
図３に示すように、受入ローラ２１の近傍には、遊技機島搬送路５から到来する紙幣を検知するための受入センサ４１が取り付けられている。また、一時保留部３０には、一時保留部３０内の紙幣を検知する保留センサ４２が設けられ、リトライ搬送路１６の近傍には、リトライ搬送路１６を通る紙幣を検知するリトライセンサ４３が設けられている。
【００４１】
紙幣収納装置１０は、ＣＰＵ（Central Processing Unit）、ＲＯＭ（Read Only Memory）、ＲＡＭ（Random Access Memory）を主要部として構成された図示省略の制御部を備えており、受入センサ４１、保留センサ４２、リトライセンサ４３からそれぞれ検知情報を入力し、これらの検知情報および後述するリトライ条件に基づき、モータ２５や第１電磁クラッチ２６、第２電磁クラッチ２８、リトライゲート１８ａ、リジェクトゲート１８ｂの動作を制御する。なお、リトライゲート１８ａ、リジェクトゲート１８ｂはそれぞれソレノイドのオン／オフによって変位し、制御部はこれらのソレノイドのオン／オフ制御するようになっている。
【００４２】
次に、紙幣収納装置１０の動作を説明する。
【００４３】
図１１は遊技機島搬送路５から受け入れた紙幣Ｎが収納部１５に収容される場合の搬送ルートＰ１を、図１２はリトライ搬送路１６を通じて紙幣Ｎが一時保留部３０に戻される場合の搬送ルートＰ２を、図１３は紙幣Ｎがリジェクト部１７に収容される場合の搬送ルートＰ３をそれぞれ示している。
【００４４】
まず、遊技機島搬送路５からの紙幣を一時保留部３０で受け入れるまでの動作を説明する。遊技機島搬送路５を搬送されてきた紙幣Ｎが受入センサ４１によって検出されると（図１１参照）、モータ２５が始動し、上部モータギア２４および上部伝達ギア２３を介して一対の受入ローラ２１と送込ベルト３８とが駆動されると共に、押圧羽根３６ａが矢印Ａ方向（図７参照）に回転駆動される。
【００４５】
遊技機島搬送路５から短辺が略垂直となる姿勢で到来した紙幣Ｎは、回転する一対の受入ローラ２１によって第１受入口３１から一時保留部３０の受入室３０ａ内へ送り込まれる。図９、図１０に示すように、第１受入口３１から進入する紙幣Ｎ２は、その下端が突設部材３５の上面に支持され、かつ上縁部の一時収納室３０ｂ側の紙面はガイド部材３３と接触しながら受入室３０ａへ受け入れられる。
【００４６】
少なくとも紙幣Ｎ２の先端がガイド部材３３の終端を過ぎるまでは、押圧羽根３６ａによって一時収納室３０ｂに向けて押圧されても紙幣Ｎ２の上縁部がガイド部材３３に接触しているので、紙幣Ｎ２は一時収納室３０ｂ側へ移ることなく受入室３０ａ内を奥（送出口３２側）に向けて進行する。
【００４７】
紙幣Ｎ２の先端が突設部材３５の終端よりさらに送出口３２側へ進行すると、紙幣Ｎ２の先端部は突設部材３５による下方からの支えを失い、送出口３２へ近づくに連れて紙幣Ｎ２は先端側が僅かに下向きに傾斜するようになると共に、突設部材３５が送出口３２に至る途中で終端し、該終端箇所より奥では一時保留部３０の天井３９が送出口３２側に向けて下り傾斜しているので、該傾斜により紙幣Ｎ２の上縁部の紙面とガイド部材３３との接触面積は次第に減少する。
【００４８】
また、ガイド部材３３は送出口３２に至る途中で終端したことにより、遊技機島搬送路５から受け入れた紙幣は受入室３０ａの奥へ進むとガイド部材３３との係りが少なくなる。また、紙幣Ｎ２の先端がガイド部材３３の終端より送出口３２へ進行し、送出口３２側の押圧羽根３６ａに当接するようになると、紙幣Ｎの先端側は一時収納室３０ｂ側へと押圧される。紙幣Ｎ２がさらに送出口３２側へ進行し、紙幣Ｎ２の後端側が受入ローラ２１を過ぎてほぼ全体が受入室３０ａに収まる頃には、受入ローラ２１での挾持による支えが無くなると共に、紙幣の先端側の下降によりガイド部材３３と紙幣Ｎ２の上縁との接触面積はさらに減少する。そのため、第１受入口３１側の押圧羽根３６ａの押圧力により紙幣Ｎ２は湾曲しながらガイド部材３３の下を潜るようにして受入室３０ａから一時収納室３０ｂへ移動し、図１３に示すように収納される。
【００４９】
すなわち、回転体３６を常時駆動させて紙幣に押圧力を常に加えても、受入室３０ａへ進入した当初はガイド部材３３との接触による抗力が押圧力に勝って紙幣はガイド部材３３を越えて一時収納室３０ｂ側へ移ることはないが、紙幣が受入室３０ａの奥まで進むと押圧力が勝って紙幣が受入室３０ａから一時収納室３０ｂへ移るようになる。一時収納室３０ｂへ移動する際に、紙幣Ｎ２（特に後端側）は突設部材３５の厚み分の段差ｈを自重により落下して一時収納室３０ｂの底面３０ｆｂに当接する。この落下と当接により紙幣Ｎの姿勢が整えられる。すなわち、第１受入口３１の入口下端を一時収納室３０ｂの底面３０ｆｂより高くし、その差分の厚みを有する突設部材３５を受入室３０ａの底部に設け、受入室３０ａから一時収納室３０ｂへ紙幣を押圧して移動させる際に、紙幣が突設部材３５の段差を落下するようにしたので、落下時の衝撃により紙幣の姿勢が整えられる。これにより、一時収納室３０ｂから送り出す際および識別手段１４を通過する時の紙幣の姿勢が良好となり、共通搬送路１３などでの紙詰まりを防止し、識別手段１４での識別性を高めることができる。
【００５０】
また、紙幣は上端部をガイド部材３３に接触させながら受入室３０ａ内を進行するので、図９、図１０に示すように、一時収納室３０ｂに既に収納されている収納済み紙幣Ｎ１に上縁部の切れ目Ｒａが存在する場合でも、新たに受け入れる後続紙幣Ｎ２はガイド部材３３の介在により、収納済み紙幣Ｎ１の上縁部の切れ目Ｒａに引っ掛かることはない。
【００５１】
また、収納済み紙幣Ｎ１に下縁部の切れ目Ｒｂがあっても、突設部材３５の厚み分だけ後続紙幣Ｎ２は収納済み紙幣Ｎ１より高い位置にあるので、受け入れ時に収納済み紙幣Ｎ１の下縁部の切れ目Ｒｂに引っ掛かることはない。
【００５２】
また、受入室３０ａから一時収納室３０ｂへ紙幣を押圧する押圧手段を、モータ２５からのベルト駆動で回転する回転体３６と押圧羽根３６ａによって構成したので、ガイド部材３３に沿って受入室３０ａへ受け入れられた紙幣を、簡単な機構で受入室３０ａから一時収納室３０ｂに向けて押圧することができ、装置の構成が簡略になる。
【００５３】
たとえば、ガイド部材３３を第１受入口３１から送出口３２側の端部まで延設した場合には、受入室３０ａの奥方に進むほど紙幣とガイド部材３３との接触面積が増加するので、紙幣が受入室３０ａの奥まで進んだことを検知し、そのタイミングで大きな押圧力を加えるといった制御を要する。これに対して、本実施の形態ではそのような制御は不要で、前述したように紙幣の受け入れ中に回転体３６を常に回転させておくだけでよいので、構成が簡略化される。
【００５４】
さらに、回転体３６を紙幣受入側（第１受入口３１側）に配置したことにより、折れ曲がって受け入れられた紙幣であっても押圧羽根３６ａで伸張することができ、折れ曲がった紙幣に、遊技機島搬送路５からの後続紙幣が衝突して詰まるのを防ぐことができる。
【００５５】
また、回転体３６を紙幣排出側（送出口３２側）に配置したことにより、一時収納室３０ｂに収納されている紙幣を常に一時収納室３０ｂに向けて押圧羽根３６ａで押圧することができるので、一時収納室３０ｂから受入室３０ａへ紙幣が浮き出てくるのを防ぐことができると共に、送出口３２から確実に紙幣を排出することができる。
【００５６】
以上のようにして一時保留部３０に紙幣が受け入れられると、保留センサ４２によって紙幣が検出され、この検出を契機に搬送ローラ１３ａの下部に取り付けられた第１電磁クラッチ２６が作動し、上部伝達ギア２３の回転力が同軸の下部シャフト２３ａから装置下部の第１タイミングベルト２７を介して回転駆動力が搬送ローラ１３ａに伝達される。これにより、識別手段１４や収納部１５などへ紙幣を搬送する共通搬送路１３やリトライ搬送路１６などが駆動される。
【００５７】
その後、順転ローラ１２ａの下部に取り付けられた第２電磁クラッチ２８が作動し、上部伝達ギア２３の回転力が同軸の下部シャフト２３ａから装置下部の第２タイミングベルト２９を介して回転駆動力が順転ローラ１２ａと逆転ローラ１２ｂに伝達され、順転ローラ１２ａは紙幣を一時保留部３０の一時収納室３０ｂから送り出す方向に、逆転ローラ１２ｂはその逆方向にそれぞれ回転する。
【００５８】
一時保留部３０の一時収納室３０ｂに収納されている紙幣は、回転する押圧羽根３６ａに接触して送込ベルト３８側へ押圧され、送込ベルト３８によって送出口３２に向かって送られ、送出口３２に到達した紙幣は送出手段１２により１枚ずつ分離して共通搬送路１３へ送り出される。
【００５９】
共通搬送路１３へ送り出された紙幣は識別手段１４を通過する際に金種の識別が行われ（ここでは、真偽や千円札か否かが判別される）、金種の識別に成功した場合は、リトライゲート１８ａを制御して紙幣を収納搬送路１５ａ側へ進行させて収納部１５に収納する(図１１のＰ１)。
【００６０】
金種を識別できなかったときは、紙幣がリジェクトゲート１８ｂへ向かうようにリトライゲート１８ａを制御する。さらに所定のリトライ条件が成立しているか否かを判断し、リトライ条件が成立している場合は、リジェクトゲート１８ｂを制御して紙幣をリトライ搬送路１６へ進行させる。これにより紙幣はリトライ搬送路１６を通じて第２受入口３７から一時保留部３０の一時収納室３０ｂへ戻される（図１２、Ｐ２）。
【００６１】
一方、識別手段１４によって金種を識別できず、かつリトライ条件が不成立の場合は、紙幣がリジェクト搬送路１７ａへ進行するようにリジェクトゲート１８ｂを制御して紙幣をリジェクト部１７に収納する（図１３、Ｐ３）。
【００６２】
リトライ条件として、たとえば、以下のいずれかを選択することができる。
（１）リトライセンサ４３で単位時間に検出される紙幣の枚数が設定枚数以下の場合は成立し、設定枚数を超えた場合は不成立になる。  
（２）リトライセンサ４３で検出される紙幣の通過間隔が設定間隔以上の場合は成立し、紙幣の通過間隔が設定間隔未満の場合は不成立になる。  
（３）一時保留部３０内の紙幣の保留量を保留センサ４２によって検出し、検出される保留量が設定枚数以下の場合はリトライ条件が成立し、検出される保留量が設定枚数を超える場合は不成立になる。  
なお、いずれをリトライ条件とするか、および各条件における設定枚数や設定間隔は、図示省略の操作部から設定変更することができるようになっている。
【００６３】
このように、金種を識別できなかった紙幣をリトライ条件が成立するときはリトライ搬送路１６を通じて一時保留部３０の一時収納室３０ｂに戻すので、その紙幣を識別手段１４に再度通して金種を識別させることができ、最終的に金種の識別される紙幣の割合が高まってリジェクト部１７に収容される紙幣の枚数が減り、リジェクト部１７の容量を小さくすることができる。
【００６４】
また、リトライ条件が不成立の場合は、リジェクト部１７へ収納するようにしたので、金種の識別できない紙幣がいつまでも紙幣収納装置１０内を周回することがなくなり、遊技機島搬送路５から送り込まれる他の紙幣の識別に支障を与えたり、多数の紙幣がリトライ搬送路１６に搬送されて搬送障害を引き起したりすることが防止される。
【００６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６６】
たとえば、実施の形態では、紙幣の短辺を立てた状態で長辺方向に紙幣を搬送するようにしたが、紙幣は水平に搬送されたり、傾斜した状態で搬送されたりしてもかまわない。また、実施の形態では一時保留部３０の上部にのみガイド部材３３を設けたが、紙幣の上縁部および下縁部のそれぞれに対応させてガイド部材３３を設けてもよい。たとえば、水平搬送の場合、紙幣の受け入れ方向と平行な両方の縁部に対してガイド部材３３を設けるように構成するとよい。さらに水平搬送の場合には、ガイド部材３３の上側を受入室３０ａとし下側を一時収納室３０ｂとすれば、一時収納室３０ｂに収納した紙幣が自重で受入室３０ａに戻り難くなって好ましい。
【００６７】
ガイド部材３３の突出量（紙幣との接触量）や受け入れ方向に沿った長さ、突設部材３５の高さや長さなどは実施の形態に例示したものに限定されず、適宜に設定すればよい。たとえば、実施の形態では、ガイド部材３３を第１受入口３１から送出口３２の途中で終端したが、全長にわたってガイド部材３３を設けてもかまわない。この場合には、紙幣が受入室３０ａの奥まで搬送された後に、一時収納室３０ｂから受入室３０ａに向けて紙幣を押圧するように、押圧手段の動作をタイミング制御するとよい。
【００６８】
また、表裏面に遊技媒体貸機４を有する遊技機島２を例示したが、一方の面のみに遊技媒体貸機４や遊技機３が配設される遊技機島に対しても本発明の紙幣収納装置１０は適用される。
【００６９】
このほか実施の形態では、パチンコ機の設置された遊技機島２を例示したが、遊技機の種類はこれに限定されず、スロットマシーンなどでもかまわない。
【図面の簡単な説明】
【００７０】
【図１】本発明の実施の形態に係る紙幣収納装置の設置された遊技機島の内部構造を示す正面図である。
【図２】本発明の実施の形態に係る紙幣収納装置とその関連機器の遊技機島内での配置状態を示す上面図である。
【図３】本発明の実施の形態に係る紙幣収納装置の内部構造を示す上面図である。
【図４】本発明の実施の形態に係る紙幣収納装置の内部構造を示す正面図である。
【図５】本発明の実施の形態に係る紙幣収納装置の内部構造を示す左側面図である。
【図６】紙幣収納装置の内部構造を簡略化して示す上面図である。
【図７】一時保留部を拡大して示す上面図である。
【図８】押圧ユニットを開放した状態の紙幣収納装置の内部構造を示す上面図である。
【図９】押圧ユニットを開放した状態の一時保留部を押圧ユニット側から見た様子を示す説明図である。
【図１０】送出口側から一時保留部の内部を見た様子であって後続紙幣が受入室にある状態を模擬的に示す説明図である。
【図１１】本発明の実施の形態に係る紙幣収納装置において紙幣が収納部に収容される場合の搬送ルートを示す説明図である。
【図１２】本発明の実施の形態に係る紙幣収納装置において紙幣がリトライ搬送路を通じて一時保留部に戻される場合の搬送ルートを示す説明図である。
【図１３】本発明の実施の形態に係る紙幣収納装置において紙幣がリジェクト部に収容される場合の搬送ルートを示す説明図である。
【図１４】送出口側から一時保留部の内部を見た様子であって後続紙幣が一時収納室に移動した状態を模擬的に示す説明図である。
【符号の説明】
【００７１】
２…遊技機島
３…遊技機
４…遊技媒体貸機
４ａ…紙幣投入口
５…遊技機島搬送路
１０…紙幣収納装置
１２…送出手段
１２ａ…順転ローラ
１２ｂ…逆転ローラ
１３…共通搬送路
１３ａ…搬送ローラ
１４…識別手段
１５…収納部
１５ａ…収納搬送路
１６…リトライ搬送路
１７…リジェクト部
１７ａ…リジェクト搬送路
１８ａ…リトライゲート
１８ｂ…リジェクトゲート
２１…受入ローラ
２３…上部伝達ギア
２３ａ…下部シャフト
２４…上部モータギア
２５…モータ
２６…第１電磁クラッチ
２７…第１タイミングベルト
２８…第２電磁クラッチ
２９…第２タイミングベルト
３０…一時保留部
３０ａ…受入室
３０ｂ…一時収納室
３０ｆａ…受入室の底面（突設部材の上面）
３０ｆｂ…一時収納室の底面
３１…第１受入口
３２…送出口
３３…ガイド部材
３４…押圧ユニット
３４ａ…開閉軸
３５…突設部材
３６…回転体
３６ａ…押圧羽根
３７…第２受入口
３８…送込ベルト
３９…一時保留部の天井面
４１…受入センサ
４２…保留センサ
４３…リトライセンサ
Ａ…押圧羽根の回転方向
Ｂ…モータ回転方向
Ｃ…順転ローラの回転方向
Ｄ…逆転ローラの回転方向
Ｆ…紙幣の受け入れ方向
ｈ…第１受入口の下端と一時収納室底面との高低さ
Ｋ…一時収納室側の側壁部
Ｎ…紙幣
Ｎ１…収納済み紙幣
Ｎ２…後続紙幣
Ｐ１、Ｐ２、Ｐ３…搬送ルート
Ｒａ…上縁部の切れ目
Ｒｂ…下縁部の切れ目
【図１】
0005105416.tif 000002
【図２】
0005105416.tif 000003
【図３】
0005105416.tif 000004
【図４】
0005105416.tif 000005
【図５】
0005105416.tif 000006
【図６】
0005105416.tif 000007
【図７】
0005105416.tif 000008
【図８】
0005105416.tif 000009
【図９】
0005105416.tif 000010
【図１０】
0005105416.tif 000011
【図１１】
0005105416.tif 000012
【図１２】
0005105416.tif 000013
【図１３】
0005105416.tif 000014
【図１４】
0005105416.tif 000015